(57)【要約】【課題】カーソルの初期設定作業等の煩雑な作業をすることなく、ポインタの直感的な操作によりカーソルを制御する。【解決手段】プラズマディスプレイパネルの駆動方法であって、サブフィールドは、画像信号に応じて書込みパルスをデータ電極Ｄ１〜Ｄｍに印加するとともに走査パルスを走査電極ＳＣ１〜ＳＣｎに順次印加する書込み期間Ｐｗと、走査電極ＳＣ１〜ＳＣｎと維持電極ＳＵ１〜ＳＵｎとに交互に輝度重みに応じた数の維持パルスを印加して維持放電を発生させる維持期間Ｐｓとを有し、所定のサブフィールドＳＦ１の維持期間Ｐｓにおいて交互に連続して印加する３以上の維持パルスによる放電の時間間隔Ｔｏ１、Ｔｏ２、Ｔｏ３が、所定のサブフィールド以外のサブフィールドＳＦ２〜ＳＦ８の維持期間Ｐｓにおいて交互に連続して印加する維持パルスによる放電の時間間隔の２倍以上であり、かつあらかじめ定められた所定の数列で示される時間間隔である。【選択図】図３
2014035394.tif 000002
【特許請求の範囲】
【請求項１】
１フィールド期間を複数のサブフィールドで構成し、走査電極と維持電極とデータ電極とを有する放電セルのそれぞれを前記サブフィールド毎に発光または非発光させて画像を表示する画像表示装置の駆動方法であって、
前記サブフィールドは、画像信号に応じて書込みパルスを前記データ電極に印加するとともに走査パルスを前記走査電極に順次印加する書込み期間と、前記走査電極と前記維持電極とに交互に輝度重みに応じた数の維持パルスを印加して維持放電を発生させる維持期間とを有し、
前記複数のサブフィールドのなかで少なくとも１つ以上の所定のサブフィールドの維持期間には、交互に連続して印加する３以上の維持パルスによる放電の時間間隔が、前記所定のサブフィールド以外のサブフィールドの維持期間において交互に連続して印加する維持パルスによる放電の時間間隔の２倍以上であり、かつあらかじめ定められた所定の数列で示される時間間隔であることを特徴とする画像表示装置の駆動方法。
【請求項２】
前記所定のサブフィールドは、輝度重みの最も小さいサブフィールド、または輝度重みの２番目に小さいサブフィールドであることを特徴とする請求項１に記載の画像表示装置の駆動方法。
【請求項３】
走査電極と維持電極とデータ電極とを有する放電セルを複数有するプラズマディスプレイパネルと、１フィールド期間を複数のサブフィールドで構成し前記放電セルのそれぞれを前記サブフィールド毎に発光または非発光させて画像を表示させる駆動回路と、を備えた画像表示装置であって、
前記駆動回路は、
前記サブフィールドを、画像信号に応じて書込みパルスを前記データ電極に印加するとともに走査パルスを前記走査電極に順次印加する書込み期間と、前記走査電極と前記維持電極とに交互に輝度重みに応じた数の維持パルスを印加して維持放電を発生させる維持期間とを有する構成とし、
前記複数のサブフィールドのなかで少なくとも１つ以上の所定のサブフィールドの維持期間には、交互に連続して印加する３以上の維持パルスによる放電の時間間隔が、前記所定のサブフィールド以外のサブフィールドの維持期間において交互に連続して印加する維持パルスによる放電の時間間隔の２倍以上であり、かつあらかじめ定められた所定の数列で示される時間間隔になるように、前記維持パルスを設定することを特徴とする画像表示装置。
【請求項４】
請求項３に記載の画像表示装置と、あらかじめ定められた所定の数列で示される時間間隔で発光する識別放電の検出を示す識別信号を出力するとともにカーソルを動かすための動き信号を出力するポインタと、前記識別信号および前記動き信号を入力して前記カーソルを表示するための画像信号を作成し前記画像表示装置に出力する画像信号制御装置とを備えたことを特徴とする画像表示システム。
【発明の詳細な説明】
【技術分野】
【０００１】
本発明は、１以上のポインタを用いて、画像表示領域の任意の位置をカーソルで指示しながらプレゼンテーションができる画像表示装置の駆動方法、画像表示装置および画像表示システムに関するものである。
【背景技術】
【０００２】
大画面のディスプレイデバイスとして代表的なプラズマディスプレイパネルは、２枚のガラス基板の間に多数の放電セルが形成され、放電セル内でガス放電を発生させて、赤色、緑色および青色の各色の蛍光体を励起発光させてカラー表示を行う。プラズマディスプレイパネルを駆動する方法としては、１フィールド期間を複数のサブフィールドで構成し、発光させるサブフィールドの組み合わせによって階調表示を行うサブフィールド法が一般的である。
【０００３】
近年は、このようなプラズマディスプレイパネルを用いて、画像表示領域の任意の位置をカーソルで指示しながらプレゼンテーションができる画像表示システムが検討されている。例えば特許文献１には、互いに直交した加速度センサと、加速度信号に応答して画像表示面のカーソルを制御する信号処理部を備えたプレゼンテーション用支援装置が記載されている。また特許文献２には、前後方向および幅方向に対して加速度を検出するとともに傾きを検出する加速度センサ有するポインタを空間中で動かすことにより、スクリーンに投射されるカーソルを操作するプロジェクタが記載されている。
【先行技術文献】
【特許文献】
【０００４】
【特許文献１】特開平８−９５５３９号公報
【特許文献２】特開２００７−２４８７１０号公報
【発明の概要】
【発明が解決しようとする課題】
【０００５】
このような画像表示システムでは、画像表示装置の画面上に各種のメニュー画面を表示し、カーソルでメニューを選択することにより画像表示システムをコントロールしたいといった要望がある。ポインタを用いてカーソルを操作する場合、ポインタの指し示す方向と画面上に表示されるカーソルの位置に大きなズレがあると、使用時に違和感を感じることになる。このようなカーソルの位置ズレを修正するためには、例えばポインタの使用前にカーソル位置の初期設定をすればよい。しかしながらこのようなカーソル位置の初期設定作業は煩雑である。
【０００６】
本発明は上記の課題に鑑みなされたものであり、カーソルの初期設定作業等の煩雑な作業をすることなく、画質の品質を落とすことなく、ポインタの直感的な操作によりカーソルを制御できる画像表示装置の駆動方法、画像表示装置および画像表示システムを提供することを目的とする。
【課題を解決するための手段】
【０００７】
上記目的を達成するために本発明は、１フィールド期間を複数のサブフィールドで構成し、走査電極と維持電極とデータ電極とを有する放電セルのそれぞれをサブフィールド毎に発光または非発光させて画像を表示する画像表示装置の駆動方法であって、サブフィールドは、画像信号に応じて書込みパルスをデータ電極に印加するとともに走査パルスを走査電極に順次印加する書込み期間と、走査電極と維持電極とに交互に輝度重みに応じた数の維持パルスを印加して維持放電を発生させる維持期間とを有し、所定のサブフィールドの維持期間において交互に連続して印加する３以上の維持パルスによる放電の時間間隔が、所定のサブフィールド以外のサブフィールドの維持期間において交互に連続して印加する維持パルスによる放電の時間間隔の２倍以上であり、かつあらかじめ定められた所定の数列で示される時間間隔であることを特徴とする。この方法により、カーソルの初期設定作業等の煩雑な作業をすることなく、また画質の品質を落とすことなく、ポインタの直感的な操作によりカーソルを制御できる画像表示装置の駆動方法を提供することができる。
【０００８】
また本発明の画像表示装置の駆動方法の所定のサブフィールドは、輝度重みの最も小さいサブフィールド、または輝度重みの２番目に小さいサブフィールドであることが望ましい。
【０００９】
また本発明は、走査電極と維持電極とデータ電極とを有する放電セルを複数有するプラズマディスプレイパネルと、１フィールド期間を複数のサブフィールドで構成し放電セルのそれぞれをサブフィールド毎に発光または非発光させて画像を表示させる駆動回路と、を備えた画像表示装置であって、駆動回路は、サブフィールドを、画像信号に応じて書込みパルスをデータ電極に印加するとともに走査パルスを走査電極に順次印加する書込み期間と、走査電極と維持電極とに交互に輝度重みに応じた数の維持パルスを印加して維持放電を発生させる維持期間とを有する構成とし、複数のサブフィールドのなかで少なくとも１つ以上の所定のサブフィールドの維持期間には、交互に連続して印加する３以上の維持パルスによる放電の時間間隔が、所定のサブフィールド以外のサブフィールドの維持期間において交互に連続して印加する維持パルスによる放電の時間間隔の２倍以上であり、かつあらかじめ定められた所定の数列で示される時間間隔になるように、前記維持パルスを設定することを特徴とする。この構成により、カーソルの初期設定作業等の煩雑な作業をすることなく、ポインタの直感的な操作によりカーソルを制御できる画像表示装置を提供することができる。
【００１０】
また本発明の画像表示システムは、上記に記載の画像表示装置と、あらかじめ定められた所定の数列で示される時間間隔で発光する識別放電の検出を示す識別信号を出力するとともにカーソルを動かすための動き信号を出力するポインタと、識別信号および動き信号を入力してカーソルを表示するための画像信号を作成し画像表示装置に出力する画像信号制御装置とを備えたことを特徴とする。この構成により、カーソルの初期設定作業等の煩雑な作業をすることなく、また画質の品質を落とすことなく、ポインタの直感的な操作によりカーソルを制御できる画像表示システムを提供することができる。
【発明の効果】
【００１１】
本発明によれば、カーソルの初期設定作業等の煩雑な作業をすることなく、また画質の品質を落とすことなく、ポインタの直感的な操作によりカーソルを制御できる画像表示装置の駆動方法、画像表示装置および画像表示システムを提供することが可能となる。
【図面の簡単な説明】
【００１２】
【図１】本発明の実施の形態における画像表示システムのパネルの分解斜視図である。
【図２】同画像表示システムのパネルの電極配列図である。
【図３】同画像表示システムのパネルに印加する駆動電圧波形図である。
【図４】同画像表示システムの回路ブロック図である。
【図５Ａ】同画像表示システムの動作の一例を示す模式図である。
【図５Ｂ】同画像表示システムの動作の一例を示す模式図である。
【図５Ｃ】同画像表示システムの動作の一例を示す模式図である。
【図５Ｄ】同画像表示システムの動作の一例を示す模式図である。
【図５Ｅ】同画像表示システムの動作の一例を示す模式図である。
【図５Ｆ】同画像表示システムの動作の一例を示す模式図である。
【図６】本発明の他の実施の形態における画像表示システムのパネルに印加する駆動電圧波形図である。
【発明を実施するための形態】
【００１３】
本発明の実施の形態における画像表示システムについて、図面を用いて以下に説明する。
【００１４】
（実施の形態）
画像表示システムは、画像表示装置と、画像表示装置に表示するカーソルを操作するポインタと、カーソルを表示するための画像信号を作成して画像表示装置に出力する画像信号制御装置とを備える。まず、画像表示装置に用いるプラズマディスプレイパネル（以下、「パネル」と略記する）およびその駆動方法について説明する。
【００１５】
図１は、本発明の実施の形態における画像表示システムに用いるパネル１０の分解斜視図である。ガラス製の前面基板１１上には、走査電極１２と維持電極１３とが平行に複数形成され、それらを覆うように誘電体層１５および保護層１６が形成されている。背面基板２１上にはデータ電極２２が複数形成され、その上に誘電体層２３および井桁状の隔壁２４が形成されている。そして隔壁２４の側面および誘電体層２３上には赤色、緑色および青色の各色に発光する蛍光体層２５が設けられている。
【００１６】
これら前面基板１１と背面基板２１とは対向配置して封着され、内部の放電空間には放電ガスが封入されている。放電空間は隔壁２４によって複数の区画に仕切られており、走査電極１２および維持電極１３とデータ電極２２とが交差する部分に放電セルが形成されている。そしてこれらの放電セルが放電、発光することにより画像が表示される。
【００１７】
図２は、本発明の実施の形態における画像表示システムに用いるパネル１０の電極配列図である。パネル１０には、行方向に延びたｎ本の走査電極ＳＣ１〜ＳＣｎ（図１の走査電極１２）およびｎ本の維持電極ＳＵ１〜ＳＵｎ（図１の維持電極１３）が配列され、列方向に延びたｍ本のデータ電極Ｄ１〜Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００１８】
次に、パネル１０の駆動方法について詳細に説明する。パネル１０を駆動するために、１フィールド期間を複数のサブフィールドで構成し、走査電極と維持電極とデータ電極とを有する放電セルのそれぞれをサブフィールド毎に発光または非発光させて画像を表示する。それぞれのサブフィールドは、画像信号に応じて書込みパルスをデータ電極に印加するとともに走査パルスを走査電極に順次印加する書込み期間と、走査電極と維持電極とに交互に輝度重みに応じた数の維持パルスを印加して維持放電を発生させる維持期間とを有する。
【００１９】
本実施の形態においては、１フィールド期間を、初期化期間と書込み期間と維持期間とを有する８個のサブフィールドＳＦ１〜ＳＦ８で構成する。サブフィールドＳＦ１〜ＳＦ８それぞれの輝度重みは、例えば（１、２、３、５、８、１３、２１、３４）である。ただし上述したサブフィールド数、輝度重み等のサブフィールド構成に本発明が限定されるものではない。
【００２０】
しかしながら、本実施の形態においてはサブフィールドＳＦ１の維持期間において、画像表示装置の固有のパターンで発光する維持放電を発生させている。
【００２１】
図３は、本発明の実施の形態における画像表示システムのパネル１０に印加する駆動電圧波形図である。
【００２２】
サブフィールドＳＦ１の初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。次に維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧は書込み動作に適した値に調整される。
【００２３】
続く書込み期間Ｐｗでは、維持電極ＳＵ１〜ＳＵｎに電圧Ｖｅを印加したまま走査電極ＳＣ１〜ＳＣｎのそれぞれに電圧Ｖｃを印加する。
【００２４】
次に、１行目の走査電極ＳＣ１に電圧Ｖａの走査パルスを印加するとともに、データ電極Ｄ１〜Ｄｍのうち１行目に発光させるべき放電セルのデータ電極Ｄｋ（ｋ＝１〜ｍ）に電圧Ｖｄの書込みパルスを印加する。すると書込みパルスを印加した放電セルで書込み放電が発生し、走査電極ＳＣ１上および維持電極ＳＵ１上に所定の壁電圧が蓄積される。一方、書込みパルスを印加しなかった放電セルでは書込み放電は発生しない。次に、２行目の走査電極ＳＣ２に走査パルスを印加するとともに、データ電極Ｄ１〜Ｄｍのうち２行目に発光させるべき放電セルのデータ電極Ｄｋに書込みパルスを印加する。すると書込みパルスを印加した放電セルで書込み放電が発生し、走査電極ＳＣ２上および維持電極ＳＵ２上に所定の壁電圧が蓄積される。
【００２５】
以下同様に、走査電極ＳＣ３〜ＳＣｎに走査パルスを順次印加するとともに発光させるべき放電セルのデータ電極Ｄｋに書込みパルスを印加して、３行目〜ｎ行目に発光させるべき放電セルで書込み放電を順次発生させる。
【００２６】
その後、データ電極Ｄ１〜Ｄｍに電圧０（Ｖ）を印加し、走査電極ＳＣ１〜ＳＣｎのそれぞれには電圧Ｖｃを印加する。そして最後の書込み放電を発生させた時刻ｔｏ０から時間Ｔｏ０の間、この状態を保つ。時間Ｔｏ０は、後述する時間Ｔｏ１、時間Ｔｏ２、時間Ｔｏ３よりも長く設定されており、本実施の形態においては、例えば５０μｓである。
【００２７】
続く維持期間Ｐｓでは、最後の書込み放電を発生させた時刻ｔｏ０から時間Ｔｏ０経過後の時刻ｔｏ１において、走査電極ＳＣ１〜ＳＣｎに電圧Ｖｓの維持パルスＡを印加するとともに維持電極ＳＵ１〜ＳＵｎに電圧０（Ｖ）を印加する。すると直前の書込み期間Ｐｗで書込み放電を起こした放電セルでは維持放電が発生して蛍光体層２５が発光する。そして走査電極ＳＣｉ上の壁電圧および維持電極ＳＵｉ上の壁電圧の極性が反転する。一方、書込み放電を起こさなかった放電セルでは維持放電は発生しない。次に、時刻ｔｏ１から時間Ｔｏ１経過後の時刻ｔｏ２において、走査電極ＳＣ１〜ＳＣｎに電圧０（Ｖ）を印加するとともに維持電極ＳＵ１〜ＳＵｎに電圧Ｖｓの維持パルスＢを印加する。すると維持放電を起こした放電セルでは再び維持放電が発生して蛍光体層２５が発光して、走査電極ＳＣｉ上の壁電圧および維持電極ＳＵｉ上の壁電圧の極性が反転する。次に、時刻ｔｏ２から時間Ｔｏ２経過後の時刻ｔｏ３において、走査電極ＳＣ１〜ＳＣｎに維持パルスＣを印加するとともに維持電極ＳＵ１〜ＳＵｎに電圧０（Ｖ）を印加して、維持放電を起こした放電セルで３回目の維持放電を発生させる。続いて時刻ｔｏ３から時間Ｔｏ３経過後の時刻ｔｏ４において、走査電極ＳＣ１〜ＳＣｎに電圧０（Ｖ）を印加するとともに維持電極ＳＵ１〜ＳＵｎに維持パルスＤを印加して、維持放電を起こした放電セルで４回目の維持放電を発生させる。
【００２８】
なお上述した連続する４回の維持放電を他の維持放電と区別して「識別放電」と呼称する。ここで、交互に連続して印加する４つの維持パルスによる放電の各時間間隔である時間Ｔｏ１、時間Ｔｏ２、時間Ｔｏ３は画像表示装置の固有のパターンとしてあらかじめ定められた時間間隔である。そして後述するように、時間Ｔｏ１、時間Ｔｏ２、時間Ｔｏ３の間隔で発生する４回の識別放電を検出することにより、画像表示装置の発光であることを特定できる。本実施の形態においては、時間Ｔｏ１、時間Ｔｏ２、時間Ｔｏ３は、例えばそれぞれ４０μｓ、２０μｓ、３０μｓである。
【００２９】
そして維持期間Ｐｓの最後に、電圧０（Ｖ）から電圧Ｖｒまで上昇する上り傾斜電圧を走査電極ＳＣ１〜ＳＣｎに印加する。すると、維持放電を発生した放電セルで微弱な消去放電が発生して、走査電極ＳＣｉ上および維持電極ＳＵｉ上の壁電圧を弱める。
【００３０】
サブフィールドＳＦ２の初期化期間Ｐｉでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。すると、直前のサブフィールドＳＦ１で維持放電を起こした放電セルでは微弱な初期化放電が発生し、走査電極ＳＣｉ上の壁電圧および維持電極ＳＵｉ上の壁電圧が弱められ、データ電極Ｄｋ上の壁電圧は書込み動作に適した値に調整される。
【００３１】
サブフィールドＳＦ２の書込み期間Ｐｗの動作はサブフィールドＳＦ１の書込み期間Ｐｗの動作と実質的に同様であるため説明を省略する。
【００３２】
サブフィールドＳＦ２の維持期間Ｐｓでは、走査電極ＳＣ１〜ＳＣｎに電圧Ｖｓの維持パルスを印加し、維持電極ＳＵ１〜ＳＵｎに電圧０（Ｖ）を印加する。すると書込み放電を起こした放電セルでは維持放電が発生して蛍光体層２５が発光する。そして走査電極ＳＣｉ上の壁電圧および維持電極ＳＵｉ上の壁電圧の極性が反転する。一方、書込み放電を起こさなかった放電セルでは維持放電は発生しない。続いて走査電極ＳＣ１〜ＳＣｎに電圧０（Ｖ）を印加し、維持電極ＳＵ１〜ＳＵｎに維持パルスを印加する。すると維持放電を起こした放電セルでは再び維持放電が発生して蛍光体層２５が発光する。以下同様に輝度重みに応じた数の維持パルス、本実施の形態では各サブフィールドの重みに４を乗じた数の維持パルスを走査電極ＳＣ１〜ＳＣｎと維持電極ＳＵ１〜ＳＵｎとに一定の時間間隔で交互に印加し、書込み放電を起こした放電セルで維持放電を継続して発生させる。
【００３３】
なお、上記の一定の時間間隔は、１回の維持放電が発生してそれが収束するまでの時間より長く、１フィールド期間内に必要な数の維持パルスを印加できる程度に短く設定されている。本実施の形態においては、交互に連続して印加する維持パルスによる放電の時間間隔が２．５μｓとなるように、走査電極ＳＣ１〜ＳＣｎと維持電極ＳＵ１〜ＳＵｎとに一定の時間間隔で維持パルスを印加している。
【００３４】
維持期間Ｐｓの最後に、走査電極ＳＣ１〜ＳＣｎに電圧０（Ｖ）から電圧Ｖｒまで上昇する上り傾斜電圧を印加して微弱な消去放電を発生させる。
【００３５】
サブフィールドＳＦ３の初期化期間Ｐｉおよび書込み期間Ｐｗの動作はサブフィールドＳＦ２の初期化期間Ｐｉおよび書込み期間Ｐｗの動作と実質的に同じである。またサブフィールドＳＦ３の維持期間Ｐｓの動作は維持パルスの数を除いてサブフィールドＳＦ２の維持期間Ｐｓの動作と実質的に同じであり、交互に連続して印加する維持パルスによる放電の時間間隔が２．５μｓとなるように、走査電極ＳＣ１〜ＳＣｎと維持電極ＳＵ１〜ＳＵｎとに一定の時間間隔で維持パルスが印加される。サブフィールドＳＦ４〜ＳＦ８の動作も維持パルスの数を除いてサブフィールドＳＦ２およびサブフィールドＳＦ３の動作と実質的に同じである。
【００３６】
このように、画像表示装置の駆動方法の特徴は、書込み期間と維持期間とを有するサブフィールドのうち、所定のサブフィールドの維持期間において交互に連続して印加する３以上の維持パルスによる放電の時間間隔が、所定のサブフィールド以外のサブフィールドの維持期間において交互に連続して印加する維持パルスによる放電の時間間隔の２倍以上であり、かつあらかじめ定められた所定の数列で示される時間間隔である。本実施の形態においては所定のサブフィールドは１つのフィールドの最初に駆動するサブフィールドＳＦ１であり、維持期間において交互に連続して印加する４つの維持パルスによる放電の時間間隔が、所定のサブフィールド以外のサブフィールドであるサブフィールドＳＦ２〜ＳＦ８の維持期間において交互に連続して印加する維持パルスによる放電の時間間隔２．５μｓの２倍以上である。これは、連続して発生する識別放電のそれぞれを確実に分離して検出するためである。
【００３７】
またその時間間隔は、あらかじめ定められた所定の数列（４０、２０、３０）で示される時間間隔である。すなわち時間Ｔｏ１、時間Ｔｏ２、時間Ｔｏ３は、それぞれ４０μｓ、２０μｓ、３０μｓである。
【００３８】
なお本実施の形態において各電極に印加する電圧値は、例えば、電圧Ｖｉ１＝１５０（Ｖ）、電圧Ｖｉ２＝３５０（Ｖ）、電圧Ｖｉ４＝−１７５（Ｖ）、電圧Ｖａ＝−２００（Ｖ）、電圧Ｖｃ＝−５０（Ｖ）、電圧Ｖｓ＝２０５（Ｖ）、電圧Ｖｒ＝２０５（Ｖ）、電圧Ｖｅ＝１５５（Ｖ）、電圧Ｖｄ＝５５（Ｖ）である。ただしこれらの電圧値は一例を挙げたに過ぎない。また図３に示した駆動電圧波形も一例を挙げたに過ぎない。これらは、パネル１０の特性等に合わせて、適宜最適な駆動電圧波形および電圧値に設定することが望ましい。
【００３９】
次に、画像表示システムの構成について説明する。
【００４０】
図４は、本発明の実施の形態における画像表示システム１００の回路ブロック図である。画像表示システム１００は、画像表示装置３０と、画像信号制御装置４０と、ポインタ５０とを備える。ポインタ５０は図４に示したように、複数本備えていてもよい。
【００４１】
画像表示装置３０は、上述したように、サブフィールドＳＦ１〜ＳＦ８で１フィールド期間を構成して画像を表示する。画像表示装置３０は、パネル１０と、画像信号処理部３１と、データ電極駆動部３２と、走査電極駆動部３３と、維持電極駆動部３４と、タイミング発生部３５と、各回路ブロックに必要な電源を供給する電源部（図示せず）とを備えている。
【００４２】
画像信号処理部３１は、画像信号制御装置４０から出力される画像信号を、サブフィールド毎の発光・非発光を示す画像データに変換する。また水平および垂直の同期信号を分離してタイミング発生部３５に供給する。データ電極駆動部３２は、画像データをデータ電極Ｄ１〜Ｄｍのそれぞれに対応する書込みパルスに変換し、データ電極Ｄ１〜Ｄｍのそれぞれに印加する。
【００４３】
タイミング発生部３５は、同期信号をもとにして各回路ブロックの動作を制御する各種のタイミング信号を発生し、それぞれの回路ブロックへ供給する。走査電極駆動部３３はタイミング信号に基づいて図３に示した駆動電圧を走査電極ＳＣ１〜ＳＣｎのそれぞれに印加し、維持電極駆動部３４はタイミング信号に基づいて図３に示した駆動電圧を維持電極ＳＵ１〜ＳＵｎに印加する。
【００４４】
ポインタ５０は画像表示装置３０に表示するカーソルを操作するものであり、選択スイッチ５１と、受光部５２と、識別部５４と、動きセンサ５６と、送信部５８とを備えている。
【００４５】
選択スイッチ５１は、画像表示装置３０にメニューおよびカーソルを表示する際に押下げられ、またメニューを選択する際にも押下げられる。そして押下げられたときに「Ｈ」レベルとなる選択信号Ｓ１を送信部５８に出力する。
【００４６】
受光部５２は、画像表示装置３０の発光を受光して識別部５４に受光信号を出力する。
【００４７】
識別部５４は、あらかじめ定められた所定の数列で示される時間間隔で発生した発光を受光信号の中から検出することにより、サブフィールドＳＦ１の識別放電を特定する。具体的には、発光の間隔が順に時間Ｔｏ１、時間Ｔｏ２、時間Ｔｏ３となる４個の連続する発光を受光信号の中から探す。そして４個の連続する発光を検出した場合には、画像表示装置３０の検出を示す識別信号Ｓ２を「Ｈ」レベルにして送信部５８に出力する。また４個の連続する発光が検出できなかった場合には、識別信号Ｓ２を「Ｌ」レベルにして送信部５８に出力する。
【００４８】
動きセンサ５６は、３軸加速度センサと３軸ジャイロセンサとを有する。３軸加速度センサの各軸の出力の平均値から鉛直方向を推定する。また３軸ジャイロセンサの出力、および３軸加速度センサの出力の平均値からの差分にもとづきポインタ５０が指し示す方向の変化を推定し、水平方向および鉛直方向のカーソルの移動量を示す動き信号（δＸ、δＹ）を算出して送信部５８に出力する。ここで、δＸは水平方向の移動量を示し、δＹは鉛直方向の移動量を示している。
【００４９】
本実施の形態においては、ポインタ５０が指し示す方向の変化の速度を算出し、それに比例するように動き信号（δＸ、δＹ）を算出している。
【００５０】
送信部５８は、ポインタ５０のそれぞれに独立に付与されているポインタ番号Ｓ０、選択信号Ｓ１、識別信号Ｓ２、動き信号（δＸ、δＹ）を、それぞれエンコードして画像信号制御装置４０に無線信号で送信する。
【００５１】
こうしてポインタ５０は、ポインタ番号Ｓ０と、選択信号Ｓ１と、あらかじめ定められた所定の数列で示される時間間隔で発光する識別放電の検出を示す識別信号Ｓ２と、カーソルを動かすための動き信号（δＸ、δＹ）とを画像信号制御装置４０に出力する。
【００５２】
画像信号制御装置４０は、ポインタ５０から送られてきた各種の信号に基づき、カーソルを表示するためのカーソル画像信号およびオンスクリーンを表示するためのオンスクリーン画像信号を作成するとともに、表示すべき画像の画像信号とカーソル画像信号およびオンスクリーン画像信号とを合成して画像表示装置３０に出力する。画像信号制御装置４０は、受信部４１と、画像信号制御部４２と、カーソル信号作成部（以下、「Ｃ信号作成部」と略記する）４３と、オンスクリーン信号作成部（以下、「ＯＳ信号作成部」と略記する）４４と、画像信号合成部４６とを備える。
【００５３】
受信部４１は、ポインタ５０から送られる無線信号をデコードして、ポインタ５０のポインタ番号Ｓ０と選択信号Ｓ１と識別信号Ｓ２と動き信号（δＸ、δＹ）とを再生する。これらの情報がフィールド毎に時々刻々と送られてくるので、以下では時間のパラメータｔを追加して、選択信号Ｓ１（ｔ）、識別信号Ｓ２（ｔ）、動き信号（δＸ（ｔ）、δＹ（ｔ））等と表記する。
【００５４】
画像信号制御部４２は、受信部４１から出力される各種の信号と、Ｃ信号作成部４３から出力されるカーソルの位置座標と、ＯＳ信号作成部４４から出力されるオンスクリーンの座標とに基づき、Ｃ信号作成部４３、ＯＳ信号作成部４４、画像信号合成部４６を制御する。
【００５５】
Ｃ信号作成部４３は、ポインタ５０のそれぞれに対応するカーソルの座標を記憶する座標メモリと、カーソル画像信号を記憶するフレームメモリとを有する。そしてフィールド毎に、ポインタ番号Ｓ０と選択信号Ｓ１（ｔ）と識別信号Ｓ２（ｔ）と動き信号（δＸ（ｔ）、δＹ（ｔ））とを入力し、ポインタ５０のそれぞれに対応するカーソルの座標を設定して座標メモリに書込むとともに、それぞれのカーソルを表示するためのカーソル画像信号をフレームメモリに書込む。
【００５６】
本実施の形態においてＣ信号作成部４３は、カーソルを表示するモードに設定されている場合に、以下の動作を行う。
【００５７】
直前のフィールドにおける識別信号Ｓ２（ｔ−１）が「Ｈ」レベルであり現在のフィールドにおける識別信号Ｓ２（ｔ）も「Ｈ」レベルである場合、すなわち、直前のフィールドにおいてポインタ５０が識別放電を検出し、現在のフィールドにおいても識別放電を検出した場合には、Ｃ信号作成部４３は、直前のフィールドにおけるカーソルの座標（Ｘ（ｔ−１）、Ｙ（ｔ−１））を中心とするカーソルの画像をフレームメモリから消去する。そして直前のフィールドにおける座標（Ｘ（ｔ−１）、Ｙ（ｔ−１））に動き信号（δＸ（ｔ）、δＹ（ｔ））を加算した座標を、現在のフィールドにおけるカーソルの座標（Ｘ（ｔ）、Ｙ（ｔ））として座標メモリに書込む。すなわち、（Ｘ（ｔ）、Ｙ（ｔ））＝（Ｘ（ｔ−１）＋δＸ（ｔ）、Ｙ（ｔ−１）＋δＹ（ｔ））である。さらに現在のフィールドにおける座標（Ｘ（ｔ）、Ｙ（ｔ））を中心とするカーソルの画像をフレームメモリに書込む。
【００５８】
直前のフィールドにおける識別信号Ｓ２（ｔ−１）が「Ｈ」レベルであり現在のフィールドにおける識別信号Ｓ２（ｔ）が「Ｌ」レベルに遷移した場合、すなわち、直前のフィールドにおいてポインタ５０が識別放電を検出したが、現在のフィールドでは識別放電を検出しなかった場合には、Ｃ信号作成部４３は、直前のフィールドにおけるカーソルの座標（Ｘ（ｔ−１）、Ｙ（ｔ−１））を中心とするカーソルの画像をフレームメモリから消去する。そして、現在のフィールドにおけるカーソルの座標を未設定とする。カーソルの座標が未設定であるので、現在のフィールドにおけるカーソルの画像はフレームメモリに書込まない。
【００５９】
直前のフィールドにおける識別信号Ｓ２（ｔ−１）が「Ｌ」レベルであり現在のフィールドにおける識別信号Ｓ２（ｔ）も「Ｌ」レベルである場合、すなわち、直前のフィールドにおいてポインタ５０が識別放電を検出せず、現在のフィールドにおいても識別放電を検出しなかった場合には、Ｃ信号作成部４３は、現在のフィールドにおけるカーソルの座標を未設定のまま保持する。したがって現在のフィールドにおけるカーソルの画像はフレームメモリに書込まない。
【００６０】
直前のフィールドにおける識別信号Ｓ２（ｔ−１）が「Ｌ」レベルであり現在のフィールドにおける識別信号Ｓ２（ｔ）が「Ｈ」レベルに遷移した場合、すなわち、直前のフィールドにおいてはポインタ５０が識別放電を検出せず、現在のフィールドでは識別放電を検出した場合には、Ｃ信号作成部４３は、画像表示面の中央の座標（Ｘｏ、Ｙｏ）を、現在のフィールドにおけるカーソルの座標（Ｘ（ｔ）、Ｙ（ｔ））として設定して座標メモリに書込む。すなわち、（Ｘ（ｔ）、Ｙ（ｔ））＝（Ｘｏ、Ｙｏ）である。そして、現在のフィールドにおける座標（Ｘ（ｔ）、Ｙ（ｔ））を中心とするカーソルの画像をフレームメモリに書込む。
【００６１】
なお、ポインタ５０が複数存在する場合には、それぞれのポインタ５０から送られる無線信号に対して上記の動作を行う。
【００６２】
そしてＣ信号作成部４３は、座標メモリに記憶されている各ポインタ５０のカーソルの座標を画像信号制御部４２に出力するとともに、フレームメモリに記憶されているカーソル画像信号を画像表示装置３０に出力する。
【００６３】
ＯＳ信号作成部４４は、制御信号に従って、表示すべきオンスクリーンのオンスクリーン画像信号を作成して画像表示装置３０に出力するとともに、作成したオンスクリーン画像の各部の座標を画像信号制御部４２に出力する。
【００６４】
画像信号合成部４６は、制御信号に従って表示すべき画像信号を選択するとともに、選択した画像信号とオンスクリーン画像信号とカーソル画像信号とを合成し、画像表示装置３０に出力する。
【００６５】
こうして画像信号制御装置４０は、ポインタ番号Ｓ０と、選択信号Ｓ１（ｔ）と、識別信号Ｓ２（ｔ）と、動き信号（δＸ（ｔ）、δＹ（ｔ））とを入力してカーソルを表示するための画像信号を作成し、またオンスクリーン画像信号を作成し、選択した画像信号とオンスクリーン画像信号とカーソル画像信号とを合成して画像表示装置３０に出力する。
【００６６】
次に、画像表示システム１００の動作の一例について説明する。
【００６７】
図５Ａ〜図５Ｆは、本発明の実施の形態１における画像表示システム１００の動作説明図である。図５Ａに示すように、画像表示装置３０に画像が表示されている状態で、使用者がポインタ５０の先端部を画像表示面に向けて選択スイッチ５１を押下げる。このとき画像表示面に何らかの画像が表示されていればサブフィールドＳＦ１でも識別放電が発生している確率が高いので、ポインタ５０から送信される識別信号Ｓ２（ｔ）は「Ｈ」レベルに遷移する。するとＣ信号作成部４３は、画像表示面の中央の座標（Ｘｏ、Ｙｏ）を、現在のフィールドにおけるカーソルの座標（Ｘ（ｔ）、Ｙ（ｔ））として設定して座標メモリに書込む。そして、この座標を中心とするカーソルの画像をフレームメモリに書込む。またＯＳ信号作成部４４はメインメニュー（最上階層のメニュー）のメニュー画面を作成する。そのため図５Ｂに示すように、画像表示面上にはカーソルとメインメニューとが表示される。
【００６８】
ただし、ポインタ５０の先端部が画像表示面に向かっていない場合には、受光部５２は識別発光を受光できないので、選択スイッチ５１が押下げられてもカーソルは表示されず、メニューも表示されない。したがって、ポインタ５０の先端部が画像表示面に向かっている場合のみ、カーソルが画像表示面の中央部に表示されることになり、カーソルの初期設定作業等の煩雑な作業をすることなく、ポインタの指し示す方向と表示されるカーソルの位置に大きなズレが発生することがない。
【００６９】
次に使用者は、図５Ｃに示したように、メニュー画面の好みのメニューの位置までカーソルを移動させ、選択スイッチ５１を押下げる。
【００７０】
画像信号制御部４２は、ＯＳ信号作成部４４から出力されるオンスクリーンの座標と、選択スイッチ５１を押下げられたときにＣ信号作成部４３から出力されるカーソルの位置座標とに基づき、使用者が選択したメニューを判定し、そのメニューを実行する。
【００７１】
例えば使用者が選択したメニューが入力切替であれば、画像信号合成部４６は出力する画像信号を切換える。このとき図５Ｄに示したように、ＯＳ信号作成部４４が画像信号操作のためのサブメニューを作成してもよい。
【００７２】
また、例えば使用者が選択したメニューがプレゼンテーションモードであれば、図５Ｅに示したように、画像信号合成部４６はプレゼンテーション用の画像信号を出力し、ＯＳ信号作成部４４はプレゼンテーション用のサブメニューを作成する。
【００７３】
さらに、例えば使用者が選択したメニューが描画モードであれば、図５Ｆに示したように、画像信号合成部４６は描画用の画像信号を出力し、ＯＳ信号作成部４４は描画用のサブメニューを作成する。
【００７４】
描画モードは、例えばＣ信号作成部４３を用いて、以下のように実現することができる。カーソルを表示する際に、直前のフィールドにおけるカーソルの座標を中心とするカーソルの画像を消去することなく、現在のフィールドにおける座標を中心とするカーソルの画像を重ねて書込むことにより、移動するカーソルの軌跡として線を表示する描画信号を作成することができる。
【００７５】
このように本実施の形態における画像表示システム１００では、選択スイッチ５１が押下げられていれば、ポインタ５０の先端部が画像表示面に向かっている場合にのみカーソルが表示されるので、カーソルの初期設定作業等の煩雑な作業をすることなく、ポインタの指し示す方向と表示されるカーソルの位置に大きなズレを発生させずにカーソルを表示することができる。またカーソルを速く動かしたい場合にはポインタ５０の先端を速く動かせばよく、カーソルをゆっくり動かしたい場合にはポインタ５０の先端をゆっくり動かせばよい。
【００７６】
このように、使用者はカーソルの表示、消去、移動に応じてポインタ５０の先端を動かすという直感的な操作を行うことにより、カーソルを操作することができる。
【００７７】
なお本実施の形態においては、識別放電を発生させる所定のサブフィールドはサブフィールドＳＦ１であり、サブフィールドＳＦ１の維持期間に識別発光のみを行うとして説明したが、サブフィールドＳＦ１の維持期間に通常の維持発光と識別発光との両方を行ってもよく、またサブフィールドＳＦ１以外の他のサブフィールドの維持期間に識別発光を行ってもよい。
【００７８】
図６は、本発明の他の実施の形態における画像表示システムのパネル１０に印加する駆動電圧波形図である。図６に示した駆動電圧波形についても、１フィールド期間を８個のサブフィールドＳＦ１〜ＳＦ８で構成する。しかしながら図６に示した駆動電圧波形では、サブフィールドＳＦ２の維持期間において、画像表示装置の固有のパターンで発光する識別放電を発生させている。
【００７９】
サブフィールドＳＦ２の維持期間Ｐｓでは、先ず、本実施の形態の画像表示装置のサブフィールドＳＦ２に配置されるべき輝度重みに応じた維持パルス数の「８」よりも「４」だけ少ない数の維持パルスを、維持パルスによる放電の時間間隔が２．５μｓとなるように、走査電極ＳＣ１〜ＳＣｎと維持電極ＳＵ１〜ＳＵｎとに一定の時間間隔で交互に印加し、書込み放電を起こした放電セルで維持放電を継続して発生させる。
【００８０】
その後、最後の維持パルスを印加した時刻ｔｏ０から時間Ｔｏ０経過後の時刻ｔｏ１において、走査電極ＳＣ１〜ＳＣｎに電圧Ｖｓの維持パルスＥを印加し、次に、時刻ｔｏ１から時間Ｔｏ１経過後の時刻ｔｏ２において、維持電極ＳＵ１〜ＳＵｎに電圧Ｖｓの維持パルスＦを印加し、次に時刻ｔｏ２から時間Ｔｏ２経過後の時刻ｔｏ３において、走査電極ＳＣ１〜ＳＣｎに維持パルスＧを印加し、次に時刻ｔｏ３から時間Ｔｏ３経過後の時刻ｔｏ４において、維持電極ＳＵ１〜ＳＵｎに維持パルスＨを印加する。
【００８１】
こうして、サブフィールドＳＦ２の維持期間では通常の維持放電を起こした後に、連続する４回の識別放電を発生させている。
【００８２】
このように、本実施の形態の画像表示装置では、任意のサブフィールドの維持期間中の任意の期間に、画像表示のための維持放電とともに識別発光を行ってもよい。識別発光を画像表示のためのサブフールドの維持期間中に起こすことで画像表示以外のための発光を起こすことがないので、コントラストの低下を抑制した高画質の表示を行うことができる。また、識別発光を頻繁に起こすためには、輝度重みの大きいサブフィールドよりも輝度重みの小さいサブフィールドのほうが維持放電が発生する確率が高いので、輝度重みの小さいサブフィールドで識別放電を発生させることが望ましい。そのため識別放電を発生させる所定のサブフィールドは、輝度重みの最も小さいサブフィールド、または輝度重みの２番目に小さいサブフィールドであることが望ましい。
【００８３】
以上のように、画像表示と関係なく識別放電を発生させるためのサブフィールドを設けて画像表示と関係のない識別放電を発生させることも可能ではある。しかしながら画像表示面上の黒を表示する領域での発光による表示画像のコントラストの低下を防ぐために、画像を表示するための複数のサブフィールドのうちの所定のサブフィールドの維持期間において、画像表示のための維持放電とともに識別放電を発生させることが望ましい。
【００８４】
なお本実施の形態において説明した各回路ブロックは、電気回路として構成されてもよく、同様の動作をするようにプログラミングされたプロセッサ等を用いて構成されてもよい。
【００８５】
また本実施の形態において用いた具体的な各数値は、単に一例を挙げたに過ぎず、画像表示装置の特性や画像表示システムの仕様等に合わせて、適宜最適な値に設定することが望ましい。
【産業上の利用可能性】
【００８６】
本発明によれば、カーソルの初期設定作業等の煩雑な作業をすることなく、高画質の画像を表示するとともに、ポインタの直感的な操作によりカーソルを制御できるので、画像表示装置にカーソルを表示させるポインタを備えた画像表示システムとして有用である。
【符号の説明】
【００８７】
１０    パネル
１２    走査電極
１３    維持電極
２２    データ電極
３０    画像表示装置
４０    画像信号制御装置
４１    受信部
４２    画像信号制御部
４３    Ｃ信号作成部
４４    ＯＳ信号作成部
４６    画像信号合成部
５０    ポインタ
５１    選択スイッチ
５２    受光部
５４    識別部  
５６    動きセンサ
５８    送信部
１００    画像表示システム
【図１】
2014035394.tif 000003
【図２】
2014035394.tif 000004
【図３】
2014035394.tif 000005
【図４】
2014035394.tif 000006
【図５Ａ】
2014035394.tif 000007
【図５Ｂ】
2014035394.tif 000008
【図５Ｃ】
2014035394.tif 000009
【図５Ｄ】
2014035394.tif 000010
【図５Ｅ】
2014035394.tif 000011
【図５Ｆ】
2014035394.tif 000012
【図６】
2014035394.tif 000013